(57)【要約】  【課題】  測定を行なって測定データを無線で送信する測定局と、測定データを受信するデータ収集装置とを含む測定システムの設置情報をデータ収集装置において取得する煩わしさを軽減できる測定システムにおける測定局の設置情報取得方法を提供する。  【解決手段】  測定システムにおける測定局の設置情報取得方法は、携帯端末１３０にて、近距離通信（Ｗｉｆｉ通信）により、データ収集装置１２０の広域ネットワーク上のアドレスを取得し（ステップＳ１３２）、測定局１１０を設置箇所に設置し（ステップＳ１１３）、携帯端末１３０を用いて、設置箇所で得られる測定局１１０の設置情報を取得し（ステップＳ１３３）、携帯端末１３０から、上記のアドレスを用いて、公衆無線回線（３Ｇ回線）を介して、広域ネットワーク上のデータ収集装置１２０に、設置情報を送信し（ステップＳ１３４）、データ収集装置１２０で設置情報を受信し（ステップＳ１２３）、データ収集装置１２０において設置情報と設置箇所に設置された測定局とを対応付ける。【選択図】  図１
2013207669.tif 000002
【特許請求の範囲】
【請求項１】
測定を行なって測定データを無線で送信する測定局と、前記測定データを受信するデータ収集装置とを含む測定システムにおける測定局の設置情報取得方法であって、
携帯端末にて、近距離通信により、前記データ収集装置の広域ネットワーク上のアドレスを取得し、
前記測定局を設置箇所に設置し、
前記携帯端末を用いて、前記設置箇所で得られる前記測定局の設置情報を取得し、
前記携帯端末から、前記アドレスを用いて、公衆無線回線を介して、前記広域ネットワーク上の前記データ収集装置に、前記設置情報を送信し、
前記データ収集装置で前記設置情報を受信し、
前記データ収集装置において前記設置情報と前記設置箇所に設置された前記測定局とを対応付ける、
ことを特徴とする測定局の設置情報取得方法。
【請求項２】
前記携帯端末は、撮像部を備え、
前記設置情報は、前記撮像部によって得られた測定局の画像を含むことを特徴とする請求項１に記載の測定局の設置情報取得方法。
【請求項３】
前記携帯端末は、測位部を備え、
前記設置情報は、前記測位部によって得られた前記設置箇所の位置情報を含むことを特徴とする請求項１に記載の測定局の設置情報取得方法。
【請求項４】
前記測定局には、その識別情報を示す標識が付されており、
前記測定局の設置情報取得方法は、さらに、
前記測定局の前記識別情報を前記データ収集装置に登録し、
前記携帯端末で前記標識を撮影して画像認識を行なうことで、前記携帯端末にて前記測定局の前記識別情報を取得し、
前記携帯端末は、前記設置情報とともに前記識別情報を送信し、
前記データ収集装置は、登録された前記識別情報と、前記設置情報とともに送信されてきた前記識別情報とを比較することで、前記設置情報と前記測定局とを対応付ける
ことを特徴とする請求項１ないし３のいずれか一項に記載の測定局の設置情報取得方法。
【請求項５】
前記測定局は、放射線量を測定して、放射線量を示す前記測定データを生成する放射線検出装置であり、
前記測定局の設置情報取得方法は、さらに、
前記設置箇所において前記携帯端末から前記測定局に振動を与え、
前記携帯端末は、前記測定局に振動を与えたことに応じて、前記設置情報を送信し、
前記データ収集装置は、前記設置情報を受信したときに受信した前記測定データにおいて誤認識が存在する測定局と、前記設置情報とを対応付ける
ことを特徴とする請求項１ないし３のいずれか一項に記載の測定局の設置情報取得方法。
【請求項６】
前記携帯端末は、加速度センサを備え、
前記携帯端末が前記測定局にぶつけられることで、前記携帯端末から前記測定局に振動が与えられ、
前記携帯端末は、前記携帯端末を前記測定局にぶつけたことによって前記加速線佐賀所定の閾値以上の加速度を検出したことに応じて、前記設置情報を送信する
ことを特徴とする請求項５に記載の測定局の設置情報取得方法。
【請求項７】
測定を行なって測定データを無線で送信する測定局と、前記測定データを受信するデータ収集装置とを含む測定システムであって、
前記データ収集装置は、
携帯端末に対して、近距離通信により、前記データ収集装置の広域ネットワーク上のアドレスを送信する近距離通信部と、
前記アドレスを利用して前記携帯端末から送信されてきた、前記測定局の設置箇所で得られる前記測定局の設置情報を、前記広域ネットワークを介して受信する広域網通信部と、
前記設置情報を前記測定局と対応付けて保存するデータ保持部と、
を備えたことを特徴とする測定システム。
【請求項８】
前記データ収集装置には前記測定局の識別情報が登録されており、
前記測定局には、その識別情報を示す標識が付されており、
前記設置情報には、前記携帯端末において前記標識から抽出された識別情報が付加されており、
前記データ保存部は、前記設置情報に付加された前記識別情報と登録されている前記識別情報とを比較することで、前記設置情報と前記測定局とを対応付ける
ことを特徴とする請求項７に記載の測定システム。
【請求項９】
前記測定局は、放射線量を測定して、放射線量を示す前記測定データを生成する放射線検出装置であり、
前記データ保存部は、前記設置情報を受信したときに受信した前記測定データにおいて誤認識が存在する測定局と、前記設置情報とを対応付ける
ことを特徴とする請求項７に記載の測定システム。
【発明の詳細な説明】
【技術分野】
【０００１】
本発明は、測定を行なって測定データを無線で送信する測定局と、前記測定データを受信するデータ収集装置とを含む測定システムにおける測定局の設置情報取得方法及びその測定システムに関するものである。
【背景技術】
【０００２】
従来、測定局で測定を行い、その測定データを無線でデータ収集装置に送信する測定システムが知られている。この測定システムにおいて複数の測定局で測定を行なうことで、複数の測定局の測定データをデータ収集装置に集約することができる。このような測定システムとして、例えば放射線量測定システムがある。
【０００３】
放射線量測定システムが学校に用いられる場合には、例えば運動場、校舎、体育館等の敷地内の各所に測定局を設置して、それらの測定局で得られた測定データをデータ収集装置で収集する。データ収集装置は、測定局ごとに測定データを保存する。データ収集装置にはＰＣ（パーソナルコンピュータ）が接続され、このＰＣで、データ収集装置で収集した測定局ごとの測定データを閲覧できる。
【０００４】
このような測定システムによって、ユーザは、各測定局が設置されているそれぞれの箇所に行って測定データを確認することなく、各設置箇所の放射線量を監視できる。また、各測定局とデータ収集装置との間では無線通信を行なっているので、各測定局とデータ収集装置との間の通信のために配線をする必要もない。なお、測定データの送信のための測定局とデータ収集装置との間の無線通信には、ＤＥＣＴ（Digital Enhanced Cordless Telecommunications）準拠方式や９００ＭＨｚ帯を使用するものが採用される。
【０００５】
このような測定システムを設置する場合には、まず、各測定局を測定箇所に設置する前に、測定局とデータ収集装置とを無線で接続して、データ収集装置と測定局の双方において同時に特定の操作部を操作して（例えば接続設定用のボタンを押して）データ収集装置に対する測定局の登録を行なう。この登録によって測定局のＩＤがデータ収集装置に保存される。その後、測定局が実際の測定箇所に設置される。測定箇所にて測定を行なう測定局からは、測定データとともにそのＩＤがデータ収集装置に送信される。これにより、データ収集装置において、受信した測定データがどの測定局からの測定データであるかを認識できる。
【０００６】
なお、本発明に関連する先行技術として、以下の先行技術文献がある。
【先行技術文献】
【特許文献】
【０００７】
【特許文献１】特開２０１１−２２０９７５号公報
【発明の概要】
【発明が解決しようとする課題】
【０００８】
上記のような測定システムにおいて、設置箇所に実際に設置された測定局の画像や各測定局の設置位置などの、設置箇所で得られる測定局の情報（以下、「設置情報」という。）が求められることがある。しかしながら、測定局には、画像を撮影する機能（カメラ等）やその位置情報を取得する機能は搭載されていない。データ収集装置で各測定局のＩＤと紐付けてその設置情報を管理したい場合には、画像を撮影する機器（例えばデジタルカメラ）、位置情報を取得する機器（例えばＧＰＳ受信機）を用いて設置された測定局を撮影し、設置箇所の位置情報を取得して、これらを記録媒体に記録し、この記録媒体に記録された画像や位置情報をＰＣに読み込んで、ＰＣからデータ収集装置にコピーすることができる。しかしながら、このような作業は非常に煩わしく、測定局が複数になると、測定局と設置情報との対応付けを手動でやらなくてはならないので、この対応付けを誤ることもある。
【０００９】
また、測定局を設置する際に測定局をデータ収集装置に登録するためだけの目的で測定局やデータ収集装置に特定の操作部（ボタン等）を設けることは、コスト面で不利であるだけでなく、測定局の防水機能の向上という面からも不利である。
【００１０】
本発明は、上記の問題に鑑みてなされたものであり、測定を行なって測定データを無線で送信する測定局と、測定データを受信するデータ収集装置とを含む測定システムにおける測定局の設置情報を取得する煩わしさを軽減できる設置情報取得方法を提供することを目的とする。
【課題を解決するための手段】
【００１１】
本発明の測定局の設置情報取得方法は、測定を行なって測定データを無線で送信する測定局と、前記測定データを受信するデータ収集装置とを含む測定システムにおける測定局の設置情報取得方法であって、この測定局の設置情報取得方法は、携帯端末にて、近距離通信により、前記データ収集装置の広域ネットワーク上のアドレスを取得し、前記測定局を設置箇所に設置し、前記携帯端末を用いて、前記設置箇所で得られる前記測定局の設置情報を取得し、前記携帯端末から、前記アドレスを用いて、公衆無線回線を介して、前記広域ネットワーク上の前記データ収集装置に、前記設置情報を送信し、前記データ収集装置で前記設置情報を受信し、前記データ収集装置において前記設置情報と前記設置箇所に設置された前記測定局とを対応付ける。
【００１２】
この構成によれば、まずデータ収集装置から携帯端末に近距離通信（例えばＷｉｆｉ）によってデータ収集装置のアドレスが与えられ、その携帯端末を持って設置箇所で測定局の設置情報を取得したときに、今度は公衆無線回線（例えば３Ｇ回線、ＬＴＥ回線や公衆無線ＬＡＮ（ホットスポットサービス））を介して設置情報をデータ収集装置に送信するので、データ収集装置に設置情報を取り込む煩わしさを軽減できる。データ収集装置に携帯端末がＷｉｆｉで接続する際には、携帯端末が検索したＷｉｆｉのアクセスポイントからユーザがデータ収集装置のアクセスポイントを選択することで容易に接続することができる。
【００１３】
上記の測定局の設置情報取得方法において、前記携帯端末は、撮像部を備えていてよく、前記設置情報は、前記撮像部によって得られた測定局の画像を含んでいてよい。
【００１４】
この構成によれば、データ収集装置において、設置箇所における測定局の画像とその測定局とを対応付けることができる。
【００１５】
上記の測定局の設置情報取得方法において、前記携帯端末は、測位部を備えていてよく、前記設置情報は、前記測位部によって得られた前記設置箇所の位置情報を含んでいてよい。
【００１６】
この構成によれば、データ収集装置において、測定局の設置箇所の位置情報とその測定局とを対応付けることができる。
【００１７】
上記の測定局の設置情報取得方法において、前記測定局には、その識別情報を示す標識が付されていてよく、前記測定システムにおける測定局の設置情報取得方法は、さらに、前記測定局の前記識別情報を前記データ収集装置に登録し、前記携帯端末で前記標識を撮影して画像認識を行なうことで、前記携帯端末にて前記測定局の前記識別情報を取得し、前記携帯端末は、前記設置情報とともに前記識別情報を送信し、前記データ収集装置は、登録された前記識別情報と、前記設置情報とともに送信されてきた前記識別情報とを比較することで、前記設置情報と前記測定局とを対応付けてよい。
【００１８】
この構成によれば、データ収集装置において識別情報を比較することで設置情報と測定局との対応付けを行なうことができるとともに、携帯端末が設置情報とともに送信される識別情報は、測定局に付された標識から画像認識によって取得するので、携帯端末において設置情報を取得した測定局の識別情報を手入力する煩わしさがなく、また正確な識別情報を設置情報に付加できる。
【００１９】
上記の測定局の設置情報取得方法において、前記測定局は、放射線量を測定して、放射線量を示す前記測定データを生成する放射線検出装置であってよく、前記測定局の設置情報取得方法は、さらに、前記設置箇所において前記携帯端末から前記測定局に振動を与え、前記携帯端末は、前記測定局に振動を与えたことに応じて、前記設置情報を送信し、前記データ収集装置は、前記設置情報を受信したときに受信した前記測定データにおいて誤認識が存在する測定局と、前記設置情報とを対応付けてよい。
【００２０】
この構成によれば、携帯端末が測定局にぶつけられた（バンプ操作）ときに、携帯端末では加速度センサがこのバンプ操作を検出して設置情報を送信し、測定局では通常の測定データにこのバンプ操作の情報が誤認識の結果として含まれるので、測定局の識別情報をデータ収集装置に登録しておかなくとも、また、携帯端末から設置情報を送信する際に測定局の識別情報を付加しなくとも、データ収集装置では、設置情報を受信したときの測定データを参照することで、測定データからバンプ操作による誤認識を見つけ出して、設置情報と測定局との対応付けを行なうことができる。
【００２１】
本発明の別の態様は、測定を行なって測定データを無線で送信する測定局と、前記測定データを受信するデータ収集装置とを含む測定システムであって、前記データ収集装置は、携帯端末に対して、近距離通信により、前記データ収集装置の広域ネットワーク上のアドレスを送信する近距離通信部と、前記アドレスを利用して前記携帯端末から送信されてきた、前記測定局の設置箇所で得られる前記測定局の設置情報を、前記広域ネットワークを介して受信する広域網通信部と、前記設置情報を前記測定局と対応付けて保存するデータ保持部とを備えた構成を有している。
【００２２】
この構成によれば、データ収集装置から携帯端末に近距離通信によってデータ収集装置のアドレスが与えられ、その携帯端末を持って設置箇所で測定局の設置情報を取得して公衆無線回線（例えば３Ｇ回線やＬＴＥ回線）を介して設置情報をデータ収集装置に送信できるので、データ収集装置に設置情報を取り込む煩わしさを軽減できる。
【００２３】
上記の測定システムにおいて、前記データ収集装置には前記測定局の識別情報が登録されており、前記測定局には、その識別情報を示す標識が付されていてよく、前記設置情報には、前記携帯端末において前記標識から抽出された識別情報が付加されていてよく、前記データ保存部は、前記設置情報に付加された前記識別情報と登録されている前記識別情報とを比較することで、前記設置情報と前記測定局とを対応付けてよい。
【００２４】
この構成によれば、携帯端末が設置情報には、測定局に付された標識から画像認識によって取得された識別情報が付加されるので、データ収集装置において識別情報を比較することで設置情報と測定局との対応付けが行なうことができる。
【００２５】
上記の測定システムにおいて、前記測定局は、放射線量を測定して、放射線量を示す前記測定データを生成する放射線検出装置であってよく、前記データ保存部は、前記設置情報を受信したときに受信した前記測定データにおいて誤認識が存在する測定局と、前記設置情報とを対応付けてよい。
【００２６】
この構成によれば、携帯端末が測定局にぶつけられた（バンプ操作）ときに、携帯端末では加速度センサがこのバンプ操作を検出して設置情報を送信し、測定局では通常の測定データにこのバンプ操作の情報が誤認識の結果として含まれるので、  測定局の識別情報をデータ収集装置に登録しておかなくとも、また、携帯端末から設置情報を送信する際に測定局の識別情報を付加しなくとも、データ収集装置では、設置情報を受信したときの測定データを参照することで、測定データからバンプ操作による誤認識を見つけ出して、設置情報と測定局との対応付けを行なうことができる。
【発明の効果】
【００２７】
本発明によれば、測定を行なって測定データを無線で送信する測定局と、測定データを受信するデータ収集装置とを含む測定システムにおいて、まずデータ収集装置から携帯端末に近距離通信によってデータ収集装置のアドレスが与えられ、その携帯端末を持って設置箇所で測定局の設置情報を取得したときに、今度は公衆無線回線を介して設置情報をデータ収集装置に送信するので、設置情報をデータ収集装置において取得する煩わしさを軽減できる。
【図面の簡単な説明】
【００２８】
【図１】本発明の第１の実施の形態における測定局の設置情報取得方法のフロー図
【図２】本発明の第１の実施の形態における測定システムの構成図
【図３】本発明の第１の実施の形態における測定システムの構成を示すブロック図
【図４】本発明の第２の実施の形態における測定システムの構成図
【図５】本発明の第２の実施の形態における測定システムの構成を示すブロック図
【図６】本発明の第２の実施の形態における測定局の設置情報取得方法のフロー図
【図７】本発明の第２の実施の形態における測定局のカウント値の推移を示すグラフ
【発明を実施するための形態】
【００２９】
以下、本発明の実施の形態の測定システムにおける測定局の設置情報取得方法について、図面を参照しながら説明する。以下では、本発明の実施の形態の測定システムとして、放射線量を測定する放射線量測定システムを例に説明する。
【００３０】
（第１の実施の形態）
図２は、本発明の第１の実施の形態の放射線量測定システムの構成図である。放射線量測定システム１００１は、複数の測定局１１０と、データ収集装置１２０と、ＰＣ（パーソナルコンピュータ）５００とを備えている。この放射線量測定システム１００１を設置する際には、携帯端末１３０が用いられる。
【００３１】
各測定局１１０とデータ収集装置１２０との間では、ＤＥＣＴ準拠方式の無線通信が行なわれる。各測定局１１０とデータ収集装置１２０との間の無線通信は、９００ＭＨｚ帯を使用するものであってもよい。データ収集装置１２０は、広域ネットワークＮＷに接続されている。また、携帯端末１３０も公衆無線回線である３Ｇ回線又はＬＴＥ回線を介して広域ネットワークＮＷに接続可能である。即ち、携帯端末１３０とデータ収集装置１２０とは、公衆無線回線及び広域ネットワークを介して互いに接続される。データ収集装置１２０には、ＰＣ５００が接続される。なお、データ収集装置１２０の測定局１１０と通信する機能以外の機能（即ち、携帯端末１３０と通信する機能及びその他の機能）は、ＰＣ５００に備えられていてよい。即ち、データ収集装置１２０とＰＣ５００とを合わせて、後述するデータ収集装置１２０の機能が実現されてよい。
【００３２】
各測定局１１０は、各測定箇所に設置される。各測定局１１０は、放射線量の測定を行なう放射線量測定装置であり、その測定データをデータ収集装置１２０に送信する。データ収集装置１２０は、各測定局１１０から測定データを受信することで、複数の測定局１１０の測定データを収集する。携帯端末１３０は、この放射線量測定システム１００１を設置したり、新たな測定局１１０を追加して設置したりする際に用いられるものであり、設置後の測定局１１０による測定及びデータ収集装置１２０による測定データの収集には用いられない。測定局１１０には、その識別情報であるＩＤを示す標識として、ＱＲコード（登録商標）が付されている。ＱＲコードは、測定局１１０を設置する際に使用される。
【００３３】
図３は、本発明の第１の実施の形態における測定システムの構成を示すブロック図である。図３では、携帯端末１３０の構成も合わせて図示している。測定局１１０は、ＩＤ記憶部１１、初期設定操作部１２、ＤＥＣＴ通信部１３、及び放射線センサ１４を備えている。また、測定局１１０には、上述のようにＱＲコード１５が付されている。放射線センサ１４は、ＰＩＮフォトダイオードであり、放射線を検出する。放射線センサ１４は、所定の時間内に放射線を検出した回数を測定データとして生成してＤＥＣＴ通信部１３に出力する。測定局１１０は、５００ｍｌペットボトル大の小型の安価なものである。また、測定局１１０は、電池で駆動するので、測定局１００の設置にあたって電源工事は不要である。
【００３４】
ＩＤ記憶部１１には、その測定局１１０の識別情報としてＩＤが記憶されている。このＩＤは各測定局１１０において互いに異なるものである。ＱＲコード１５は、ＩＤ記憶部１１に記憶されたＩＤを示すコードである。このＱＲコード１５を撮影して画像解析をすることで、ＩＤを得ることができる。初期設定操作部１２は、初期設定ボタンである。初期設定ボタンが押下されると初期設定部１２はその旨の信号をＤＥＣＴ通信部１３に出力する。ＤＥＣＴ通信部１３は、ＤＥＣＴ準拠法式で無線通信を行なう。ＤＥＣＴ通信部１３は、初期設定時には、初期設定操作部１２が操作されたときに、ＩＤ記憶部１１に記憶されたＩＤを送信する。また、ＤＥＣＴ通信部１３は、設置後の測定においては、放射線センサ１４で得られた測定データをデータ収集装置１２０に送信する。
【００３５】
データ収集装置１２０は、ＤＥＣＴ通信部２１、Ｗｉｆｉ通信部２２、広域網通信部２３、初期設定操作部２４、及びデータ保存部２５を備えている。上述のように、ＤＥＣＴ通信部２１以外の構成は、ＰＣ５００（図２参照）に備えられて、このＰＣ５００と合わせてデータ収集装置１２０が構成されてもよい。ＤＥＣＴ通信部２１は、測定局１１０との間でＤＥＣＴ準拠方式の無線通信を行なう。設置後の測定においては、ＤＥＣＴ通信部２１は、測定局１１０から測定データを受信する。
【００３６】
Ｗｉｆｉ通信部２２は、携帯端末１３０との間で、近距離通信として、Ｗｉｆｉ（Wireless fidelity）通信を行なう。広域網通信部２３は、広域ネットワークＮＷを介して携帯端末１３０と通信を行なう。初期設定操作部２４は、初期設定ボタンである。初期設定ボタンが押下されると初期設定部２４はその旨の信号をＤＥＣＴ通信部２１に出力する。ＤＥＣＴ通信部２１は、初期設定時には、初期設定操作部２４が操作されたときに、測定局１１０から送信されてきたＩＤを受信してデータ保存部２５に保存することで、その測定局１１０を登録する。データ保存部２５は、さらに、設置時に携帯端末１３０から送信されてきた設置データを保存する。データ保存部２５は、設置後の測定においては、測定局１１０から送信されてきた測定データを、測定局１１０ごとに保存する。
【００３７】
携帯端末１３０は、撮像部３１、ＩＤ抽出部３２、ＧＰＳ受信部３３、Ｗｉｆｉ通信部３４、データ収集装置情報取得部３５、公衆無線網通信部３６、及び設置データ生成部３７を備えている。撮像部３１は、カメラである。撮像部３１は、被写体を撮影して、その画像データを生成する。撮像部３１は、設置時に、測定局１１０のＱＲコードを撮影し、かつ設置された測定局１１０を撮影する用に供される。撮像部３１は、設置された測定局１１０の画像データを設置データ生成部３７に提供し、ＱＲコードの画像データをＩＤ抽出部３２に提供する。
【００３８】
ＩＤ抽出部３２は、撮像部３１で撮像されたＱＲコードの画像を解析して、そのＩＤを抽出する。上述のように、このＩＤは、解析対象のＱＲコードが付与された測定局１１０のＩＤである。ＧＰＳ受信部３３は、ＧＰＳ（Global Positioning System）衛星から信号を受信して、測位を行い、位置情報を生成する。このＧＰＳ受信部３３は、本発明の測位部に相当する。ＧＰＳ受信部３３は、生成した位置情報を設置データ生成部３７に提供する。設置データ生成部３７は、撮像部３１から得た設置された測定局１１０の画像データ及びＧＰＳ受信部３３から得た位置情報に、ＩＤ抽出部３２から得た測定局１１０のＩＤを付加して、設置データを生成する。この画像データ及び位置情報は、本発明の設置情報に該当する。
【００３９】
Ｗｉｆｉ通信部３５は、データ収集装置１２０との間でＷｉｆｉ通信を行なう。データ収集装置情報取得部３６は、Ｗｉｆｉ通信部３５を介して、広域ネットワークＮＷでデータ収集装置１２０を特定するための情報、即ちデータ収集装置１２０のアドレスを取得する。公衆無線網通信部３７は、公衆無線回線（例えば、３Ｇ回線やＬＴＥ回線）に接続して、広域ネットワークＮＷを介してデータ収集装置１２０と通信を行なう。このとき、公衆無線網通信部３７は、データ収集装置情報取得部３６にて取得したデータ収集装置１２０のアドレスを用いて、設置データ生成部３７で生成された設置データをデータ収集装置１２０に送信する。
【００４０】
以上のように構成された放射線量測定システム１００１について、その測定局１１０の設置情報取得方法を説明する。図１は、本発明の第１の実施の形態における測定局の設置情報取得方法のフロー図である。まず、測定局１１０とデータ収集装置１２０を近くに用意して、互いの初期設定を行なう。このために、測定局１１０を初期設定モードとし（ステップＳ１１１）、データ収集装置１２０も初期設定モードにする（ステップＳ１２１）。そして、測定局１１０の初期設定操作部１２とデータ収集装置１２０の初期設定操作部２４とを同時に操作する。そうすると、測定局１１０のＤＥＣＴ通信部１３は、ＩＤ記憶部１１に記憶されたＩＤを送信することで、データ収集装置１２０に対する登録を行なう（ステップＳ１１２）。データ収集装置１２０のＤＥＣＴ通信部２１は、このＩＤを受信してデータ保存部２５に保存して、この測定局１１０を登録する（ステップＳ１２２）。これで測定局１１０とデータ収集装置１２０との間の初期設定が完了する。複数の測定局１１０がある場合には、各測定局１１０について、データ収集装置１２０との間で上記の初期設定を行なう。
【００４１】
携帯端末１３０もデータ収集装置１２０の近くに用意し、測定システムの設置のためのアプリケーションを起動する（ステップＳ１３１）。そして、携帯端末１３０のこのアプリケーションでデータ収集装置情報（アドレス）を要求するための操作を行なうと、携帯端末１３０のデータ収集装置情報取得部３５は、Ｗｉｆｉ通信部３４を用いて、データ収集装置１２０と接続を行い、データ収集装置１２０の情報を要求する要求信号を送信する。データ収集装置１２０では、Ｗｉｆｉ通信部２２がこの要求信号を受信すると、データ収集装置情報として、広域ネットワークＮＷにおける自己のＩＰアドレスを携帯端末１３０に返す。携帯端末１３０のＷｉｆｉ通信部３４は、このデータ収集装置情報を受信して、データ収集装置情報取得部３５に保存する（ステップＳ１３２）。これによって携帯端末１３０でデータ収集装置１２０の情報の登録が完了する。
【００４２】
なお、上記の測定局１１０とデータ収集装置１２０との間の初期設定と、携帯端末１３０におけるデータ収集装置１２０の情報の登録とは、いずれが先でいずれが後でもあってもよい。測定局１１０について初期設定が完了し、携帯端末１３０についてデータ収集装置の情報登録が完了すると、ユーザは、測定局１１０を設置箇所に設置する。このとき、ユーザは、設置箇所に携帯端末１３０も持っていく。
【００４３】
ユーザは、測定局１１０を測定箇所に設置する（ステップＳ１１３）。そして、携帯端末１３０の撮像部３１で測定局１１０に付されたＱＲコードを撮影して、ＩＤ抽出部３２でＱＲコードからその測定局１１０のＩＤを抽出する。また、設置された測定局１１０を撮影して画像データを生成する。この撮影と同時にＧＰＳ受信部３３は位置情報を取得する（以上、ステップＳ１３３）。設置データ生成部３７は、撮像部３１で取得された設置済の測定局１１０の画像データ、ＩＤ抽出部３２で抽出されたＩＤ、及びＧＰＳ受信部３３で得られた位置情報を含む設置データを生成する。そして、公衆無線網通信部３６は、データ収集装置情報取得部３５に登録されたデータ収集装置１２０の情報（アドレス）をあて先として、設置データ生成部３７にて生成された設置データを送信する（ステップＳ１３４）。
【００４４】
データ収集装置１２０の広域網通信部２３は、携帯端末１３０から送信された設置データを広域ネットワークＮＷから受信して、データ保存部２５に保存する（ステップＳ１２３）。このとき、データ保存部２５では、測定局１１０のＩＤとその設置時の画像及び位置情報とが互いに関連付けられて保存される。複数の測定局１１０がある場合には、各測定局１１０について、上記のように、その設置箇所で携帯端末１３０からの画像及び位置情報の送信及びデータ収集装置１２０での保存を行なう。
【００４５】
その後、測定局１１０は、放射線量の測定を開始して（ステップＳ１１４）、ＤＥＣＴ通信部１３が測定局１１０のＩＤとともに測定データを送信し、データ収集装置１２０のＤＥＣＴ通信部２１はこれを受信して、測定局１１０ごとにデータ保存部２５に保存する（ステップＳ１２４）。そして、データ収集装置１２０に接続されたＰＣ５００で、この測定データを閲覧することができる。また、データ収集装置１２０は、この測定データと関連付けて、その測定局１１０の画像や位置情報をＰＣ５００に出力できる。データ保存部２５には、測定局１１０ごとに、その画像及び位置情報と測定データとが保存されているので、ＰＣ５００では、測定局１１０ごとに測定データ、画像、及び位置情報を閲覧したり出力したりできる。
【００４６】
以上のように、本実施の形態の放射線量測定システムにおける測定局の設置情報取得方法によれば、まず、測定局１１０とデータ収集装置１２０との間で初期設定が行なわれて測定局１１０のＩＤがデータ収集装置１２０に登録される。そして、携帯端末１３０は、取得した設置された測定局１１０の画像及び位置情報を、公衆無線回線を経由してデータ収集装置１２０に送信するが、このときに、測定局１１０のＩＤも送信するので、データ収集装置１２０では、携帯端末１３０から受信した測定局１１０の設置された画像及び位置情報がどの測定局１１０のものであるかを容易に、かつ確実に管理できる。
【００４７】
また、携帯端末１３０が測定局１１０の画像及び位置情報に含める測定局１１０のＩＤについては、測定局１１０と携帯端末１３０との間で通信を行なうのではなく、携帯端末１３０に手入力で測定局１１０のＩＤを入力するのでもなく、測定局１１０に付されたＱＲコードを利用する。よって、簡易な構成で、確実に測定局１１０のＩＤを取得できる。
【００４８】
なお、本実施の形態では、放射線量測定システムにおける測定局の設置情報取得方法を説明したが、測定システムの測定対象は放射線に限られず、他の物理量であってもよい。
【００４９】
（第２の実施の形態）
第１の実施の形態では、初期設定を行なうことで、測定局１１０のＩＤをデータ収集装置１２０に登録し、携帯端末１３０から測定局１１０の設置情報（画像や位置情報）を送信する際には、測定局１１０のＩＤを付けて送信することで、データ収集装置１２０で測定局１１０とその設置情報とを紐付けることができた。本実施の形態では、データ収集装置において、ＩＤを用いずに、測定局とその設置情報とを対応付ける方法を説明する。本実施の形態では、放射線センサとして採用されるＰＩＮフォトダイオードが、振動の影響を受け易く、振動が加わると、それを、放射線を受けたものと誤認識してしまうという性質を有していることを利用して、測定局とその設置情報との紐付けを実現する。
【００５０】
図４は、本発明の第２の実施の形態における測定システムの構成図である。第１の実施の形態と同様に、本実施の形態の放射線測定システム１００２は、複数の測定局２１０と、データ収集装置２２０と、ＰＣ５００とを備えている。この放射線測定システム１００２を設置する際には、携帯端末２３０が用いられる。
【００５１】
各測定局２１０とデータ収集装置２２０との間では、ＤＥＣＴ準拠方式の無線通信が行なわれる。データ収集装置２２０は、広域ネットワークＮＷに接続されている。また、携帯端末２３０も公衆無線回線である３Ｇ回線又はＬＴＥ回線を介して広域ネットワークＮＷに接続可能である。データ収集装置２２０には、ＰＣ５００が接続される。第１の実施の形態と同様に、データ収集装置２２０の測定局２１０と通信する機能以外の機能（即ち、携帯端末２３０と通信する機能及びその他の機能）は、ＰＣ５００に備えられていてよい。即ち、データ収集装置２２０とＰＣ５００とを合わせて、後述するデータ収集装置２２０の機能が実現されてよい。
【００５２】
各測定局２１０は、各測定箇所に設置される。各測定局２１０は、放射線量の測定を行なって、その測定データをデータ収集装置２２０に送信する。これにより、データ収集装置２２０は、各測定局２１０の測定データを収集する。携帯端末２３０は、第１の実施の形態と同様に、放射線量測定システム１００２を設置したり、新たな測定局２１０を追加して設置したりする際に用いられるものであり、設置後の測定局１１０による測定及びデータ収集装置１２０による測定データの収集には用いられない。なお、第１の実施の形態と異なり、測定局２１０には、ＱＲコードは付されていない。
【００５３】
図５は、本発明の第２の実施の形態における測定システムの構成を示すブロック図である。図５では、携帯端末２３０の構成も合わせて図示している。なお、図５において、第１の実施の形態の放射線量測定システム１００１と同様の構成については、同一の符号を付して、適宜その説明を省略する。
【００５４】
測定局２１０は、ＤＥＣＴ通信部１３、及び放射線センサ１４を備えている。測定局２１０は、第１の実施の形態と同様に、小型かつ安価のものであり、電池で駆動する。放射線センサ１４は、ＰＩＮフォトダイオードによって放射線を検出する。放射線センサ１４は、所定の時間内に放射線を検出した回数を測定データとして生成してＤＥＣＴ通信部１３に出力する。ＤＥＣＴ通信部１３は、設置後の測定においては、放射線センサ１４で得られた測定データをデータ収集装置１２０に送信する。ＩＤ記憶部１１には、自ＩＤが記憶されている。
【００５５】
データ収集装置２２０は、ＤＥＣＴ通信部２１、Ｗｉｆｉ通信部２２、広域網通信部２３、初期設定操作部２４、データ保存部２５、及び対応検出部２６を備えている。対応検出部２６は、設置時に、広域網通信部２３が携帯端末２３０から設置データを受信して、その設置データを取得すると、ＤＥＣＴ通信部２１が測定局２１０から受信した測定データを取得する。
【００５６】
対応検出部２６は、ＤＥＣＴ通信部２１で複数の測定局２１０から測定データを受信している場合には、それらのすべての測定データを取得する。対応検出部２６は、それらの測定データのうちで、設置データが送受信されたタイミングで一時的に放射線の検出回数が極端に多くなっている測定データと、その設置データとを対応付ける。測定データには測定局のＩＤも付加されているので、この対応付けの結果、測定局２１０のＩＤ、その測定データ、及び設置データ（測定局２１０の画像及び位置情報）が対応付けられる。なお、第１の実施の形態では、設置情報に測定局のＩＤが付加されて設置データとされていたが、本実施の形態では、設置データは画像データと位置情報とを含み、測定局２１０の識別情報が付加されていないので、設置データは即ち設置情報である。
【００５７】
このようにして対応付けられた測定局２１０のＩＤ、その測定データ、及び設置データは、データ保存部２５に保存される。また、第１の実施の形態と同様に、設置後の通常の測定においては、測定局２１０から送信されてきた測定データは、測定局２１０のＩＤを参照して、測定局２１０ごとにデータ保存部２５に保存される。
【００５８】
携帯端末２３０は、撮像部３１、ＧＰＳ受信部３３、Ｗｉｆｉ通信部３４、データ収集装置情報取得部３５、公衆無線網通信部３６、設置データ生成部３７、及び加速度センサ３８を備えている。加速度センサ３８は、携帯端末２３０の加速度を検出して、設置データ生成部３７に出力する。設置データ生成部３７は、加速度センサ３８より出力された加速度が所定の閾値を超えると、撮像部３１にて撮像された測定局２１０の画像及びＧＰＳ受信部３３より取得した位置情報を設置情報として含む設置データを生成して、公衆無線網通信部３６に出力する。公衆無線通信部３６は、設置データ生成部３７にて設置データが生成されると、これを公衆無線回線に送信する。
【００５９】
以上のように構成された放射線量測定システム１００２について、その測定局２１０の設置情報取得方法を説明する。図６は、本発明の第２の実施の形態における測定局の設置情報取得方法のフロー図である。まず、携帯端末２３０をデータ収集装置２２０の近くに用意して、第１の実施の形態と同様にして、携帯端末２３０においてデータ収集装置２２０の情報（アドレス）を登録する（ステップＳ２３１）。そして、ユーザは、測定局２１０と携帯端末２３０とを持って、設置箇所に測定局２１０を設置しに行く。ユーザは、設置箇所に測定局２１０を設置して（ステップＳ２１１）、測定局２１０を起動する（ステップＳ２１２）。測定局２１０は、起動すると、放射線の検出を開始して、測定データを生成し、定期的に測定データをデータ収集装置２２０に送信する。本実施の形態では、測定局２１０は１分ごとに、１分間で放射線を受けた回数（毎分のカウント値）を測定データとしてデータ収集装置２２０に送信する。
【００６０】
一方、携帯端末２３０においてもアプリケーションを起動する（ステップＳ２３２）。そして、携帯端末２３０で、設置された測定局２１０の画像を撮影する（ステップＳ２３３）。このとき、同時にＧＰＳ受信部３３で位置情報を取得する。携帯端末２３０では、設置データ生成部３７においてこの画像及び位置情報を含む設置データが生成される。
【００６１】
設置データが用意されると、ユーザは、携帯端末２３０のアプリケーションを起動させたまま、この携帯端末２３０を測定局２１０に軽くぶつけ（この操作を以下「バンプ」とも言う。）（ステップＳ２３４）、測定局２１０に振動を与える。このバンプによって、携帯端末２３０に加速度が生じるので加速度センサ３８によって加速度が検出されるとともに、測定局２１０に振動が与えられる。測定局２１０は、この振動を、放射線を受けたものと誤認識する（ステップＳ２１３）。
【００６２】
図７は、測定局２１０の毎分のカウント値（測定データ）の推移を示すグラフである。図７では、３つの測定局２１０の測定データが示されている。実線は、第１の測定局２１０のカウント値の推移を示し、一点鎖線は第２の測定局２１０のカウント値の推移を示し、二点鎖線は第３の測定局２１０のカウント値の推移を示している。図７の例では、時刻８分において、第１の測定局２１０のカウント値ａ８が、前後のカウント値ａ７及びａ９と比較して極端に高い。また、この第１の測定局２１０のカウント値ａ８は、同時刻の他の測定局２１０のカウント値ｂ８、ｃ８と比較しても極端に高い。このカウント値ａ８は、第１の測定局２１０の放射線センサ１４が、携帯端末２３０がぶつけられることによって与えられた振動を、放射線を受けたものと誤認識したことによるものである。
【００６３】
測定局２１０は、通常通りに測定データをデータ収集装置２２０に送信する（ステップＳ２１４）。また、このバンプによって加速度センサ３８が検出した加速度は設置データ生成部３７に提供され、設置データ生成部３７は、この加速度が所定の閾値を上回ると判断すると、公衆無線網通信部３６を用いて設置データをデータ収集装置２２０に送信する（ステップＳ２３５）。データ収集装置２２０では、携帯端末２３０から送信されてきた設置データを広域網通信部２３にて受信し（ステップＳ２２１）、ＤＥＣＴ通信部２１にて測定データを受信する（ステップＳ２２２）。広域網通信部２３が受信した設置データを対応検出部２６に出力すると、対応検出部２６は、受信した測定データをＤＥＣＴ通信部２１から取得する。即ち、対応検出部２６は、設置データが生成・送信されたタイミングと同じタイミングで生成・送信された測定データを取得する。このときに取得する測定データは、図７に示すように、ＤＥＣＴ通信部２１にて受信したすべての測定局２１０の測定データである。
【００６４】
対応検出部２６は、測定データにおいて、同一の測定局２１０における前後のカウント値との差分が所定の閾値以上であり、かつ、他の測定局２１０における同時刻のカウント値との差分が所定の閾値以上である測定データを検出する。放射線については、ある短い時間（１分間）だけ線量が多くなり、その前後では通常の状態であるということは考えにくく、また、比較的近くに設置された複数の測定局において１つの測定局のみで顕著に高い放射線が観測されることも一般的には考えにくい。したがって、測定局２１０における上記の要件を満たすカウント値は、振動を放射線と誤認識によるものであると考えられる。
【００６５】
よって、対応検出部２６は、上記の条件を満たす測定データを有する測定局２１０を、広域網通信部２３にて受信された設置データに対応する測定局２１０であると判断する（ステップＳ２２３）。なお、同一の測定局２１０における前後のカウント値との差分が所定の閾値以上であるという条件と、他の測定局２１０における同時刻のカウント値との差分が所定の閾値以上であるという条件は、上記のように、それらのいずれもが満たされていたときにのみ、それを振動の誤認識によるものであると判断してもよいし、いずれか一方が満たされたときに、それを振動の誤認識によるものであると判断してもよい。
【００６６】
対応検出部２６は、この設置データを、その測定データ及び測定局２１０から送信されてきた測定局２１０のＩＤとともに、データ保存部２５に保存する。これによって、データ保存部２５には、測定局２１０のＩＤ、その測定データ、及び設置データが互いに対応付けられて保存される。その後も継続して測定局２１０にて測定が行なわれて、測定データが送信され（ステップＳ２１５）、データ収集装置２２０にて測定データが受信され（ステップＳ２２４）、このようにしてデータ収集装置２２０において各測定局２１０の測定データが収集される。
【００６７】
以上のように、本実施の形態の放射線量測定システムにおける測定局の設置情報取得方法によれば、データ収集装置２２０には、設置された測定局２１０からＤＥＣＴ準拠方式の通信で測定データが送信されてくるとともに、携帯端末２３０からは公衆無線回線を通じて設置データが送られてくる。そして、この携帯端末２３０は、測定局２１０にぶつけることで加速度を検出して設置データを送信するので、データ収集装置２２０において設置データを受信したときの測定データを見ると、測定データの中に、ちょうど設置データが送信されたときに携帯端末２３０のバンプによる振動を放射線であると誤認識して一時的に高くなったカウント値を有する測定データがある。よって、そのような測定データを送信した測定局２１０を、受信した設置データと対応付けることができる。
【００６８】
このように、本実施の形態によれば、測定局２１０の放射線センサ１４が振動を放射線と誤検出してしまうことを利用して、携帯端末２３０に画像及び位置情報を取得した測定局２１０のＩＤを入力しなくても、また、データ収集装置２２０においても予め測定局２１０のＩＤを登録しておかなくても、データ収集装置２２０において測定局と設置データとの対応付けを行なうことができる。即ち、本実施の形態の測定局の設置情報取得方法によれば、測定局２１０及びデータ収集装置２２０は、設置情報と測定局とを対応付けるという目的のためにデータ収集装置２２０において測定局２１０のＩＤを登録（記憶）しておく必要はなくなり、第１の実施の形態の放射線量測定システム１００１と比較して、初期設定操作部１２、２４の構成が不要となる。
【００６９】
なお、上記の実施の形態では、端末装置２３０が加速度センサ３８を備えて、端末装置２３０を測定局２１０にぶつけることで（バンプ）測定局２１０に振動を与えるとともに、このバンプを加速度センサ３８で検出して設置データを端末装置２３０からデータ収集装置２２０に送信したが、本発明はこれに限られない。端末装置２３０がバイブレータを備えて、端末装置２３０を測定局２１０に当接させてバイブレータを起動させることで測定局２１０に振動を与えてもよい。この場合には、端末装置２３０は、バイブレータを起動させたことに応じて、設置データをデータ収集装置２２０に送信する。このバイブレータの振動によっても、測定局２２０が放射線を検出したものと誤認識して、測定データに一時的にカウント値が高くなる部分が生じる。よって、データ収集装置２２０で、この一時的にカウント値が高くなった部分を有する測定データを見つけることで、その測定データを送信した測定局２１０と、端末装置２３０から送信されてきた設置データとを対応付けることができる。
【００７０】
上記の第１及び第２の実施の形態では、測定局の設置情報は、測定局の画像及び位置情報であったが、設置情報はそのいずれかのみであってよく、測定局の設置箇所で得られる他の情報であってもよい。
【産業上の利用可能性】
【００７１】
本発明は、測定局の設置情報を取得する煩わしさを軽減できるという効果を有し、測定局で得られた測定データを無線でデータ収集装置に送信する測定システムにおける測定局の設置情報取得方法等として有用である。
【符号の説明】
【００７２】
１００１、１００２  測定システム
１１０、２１０  測定局
１１  ＩＤ記憶部
１２  初期設定操作部
１３  ＤＥＣＴ通信部
１４  放射線センサ
１２０，２２０  データ収集装置
２１  ＤＥＣＴ通信部
２２  Ｗｉｆｉ通信部
２３  広域網通信部
２４  初期設定操作部
２５  データ保存部
２６  対応検出部
１３０  携帯端末
３１  操作部
３２  ＩＤ抽出部
３３  ＧＰＳ受信部
３４  Ｗｉｆｉ通信部
３５  データ収集装置情報取得部
３６  公衆無線網通信部
３７  設置データ生成部
３８  加速度センサ
５００  ＰＣ
ＮＷ  広域ネットワーク
【図１】
2013207669.tif 000003
【図２】
2013207669.tif 000004
【図３】
2013207669.tif 000005
【図４】
2013207669.tif 000006
【図５】
2013207669.tif 000007
【図６】
2013207669.tif 000008
【図７】
2013207669.tif 000009